(57)【要約】      （修正有）【課題】  駅の周辺情報を効率的に提供することを目的とする。【解決手段】  出版物８に掲載された駅又はインターチェンジの周辺に係る情報を提供する周辺情報提供サーバ１における周辺情報提供方法であって、ネットワーク５を介して接続されたユーザ端末６より、駅周辺の情報に係る画面又はインターチェンジ周辺の情報に係る画面の作成要求信号を受信する画面作成要求受信段階と、駅に係る情報又はインターチェンジに係る情報を取得する情報取得段階と、情報取得段階において取得した、駅周辺の情報に係る画面又はインターチェンジ周辺の情報に係る画面を作成する画面作成段階と、画面作成段階において作成した駅周辺の情報に係る画面又はインターチェンジ周辺に係る画面を、ユーザ端末６に提供する画面提供段階と、を有することによって上記課題を解決する。【選択図】  図１
2006004316.tif 000002
【特許請求の範囲】
【請求項１】
出版物に掲載された駅又はインターチェンジの周辺に係る情報を提供する周辺情報提供サーバにおける周辺情報提供方法であって、
ネットワークを介して接続されたユーザ端末より、前記出版物に掲載された駅を特定する駅コード又はインターチェンジを特定するインターチェンジコードを含む、駅周辺の情報に係る画面又はインターチェンジ周辺の情報に係る画面の作成要求信号を受信する画面作成要求受信段階と、
前記作成要求信号に含まれる前記駅コード又は前記インターチェンジコードに基づいて、駅に係る情報を格納する駅情報格納手段又はインターチェンジに係る情報を格納するインターチェンジ情報格納手段より、前記駅コードに対応する駅に係る情報又は前記インターチェンジコードに対応するインターチェンジに係る情報を取得する情報取得段階と、
前記情報取得段階において取得した、駅に係る情報を含む、駅周辺の情報に係る画面又はインターチェンジに係る情報を含む、インターチェンジ周辺の情報に係る画面を作成する画面作成段階と、
前記画面作成段階において作成した駅周辺の情報に係る画面又はインターチェンジ周辺に係る画面を、前記ユーザ端末に提供する画面提供段階と、
を有することを特徴とする周辺情報提供方法。
【請求項２】
前記駅周辺の情報に係る画面は、駅周辺の情報を提供する画面の種類を選択する選択画面であることを特徴とする請求項１記載の周辺情報提供方法。
【請求項３】
前記駅周辺の情報を提供する画面の一つは、駅周辺の物件情報を提供する画面であることを特徴とする請求項２記載の周辺情報提供方法。
【請求項４】
前記インターチェンジ周辺の情報に係る画面は、インターチェンジ周辺の情報を提供する画面の種類を選択する選択画面であることを特徴とする請求項１記載の周辺情報提供方法。
【請求項５】
前記インターチェンジ周辺の情報を提供する画面の一つは、インターチェンジ周辺の物件情報を提供する画面であることを特徴とする請求項４記載の周辺情報提供方法。
【請求項６】
複数のユーザ端末と、該ユーザ端末とネットワークを介して接続された、出版物に掲載された駅又はインターチェンジの周辺に係る情報を提供する周辺情報提供サーバと、を有する周辺情報提供システムであって、
前記周辺情報提供サーバは、
駅に係る情報を格納する駅情報格納手段と、
インターチェンジに係る情報を格納するインターチェンジ情報格納手段と、
前記ユーザ端末より、前記出版物に掲載された駅を特定する駅コード又はインターチェンジを特定するインターチェンジコードを含む、駅周辺の情報に係る画面又はインターチェンジ周辺の情報に係る画面の作成要求信号を受信する画面作成要求受信手段と、
前記作成要求信号に含まれる前記駅コード又は前記インターチェンジコードに基づいて、前記駅情報格納手段又は前記インターチェンジ情報格納手段より、前記駅コードに対応する駅に係る情報又は前記インターチェンジコードに対応するインターチェンジに係る情報を取得する情報取得手段と、
前記情報取得手段において取得した、駅に係る情報を含む、駅周辺の情報に係る画面又は、インターチェンジに係る情報を含む、インターチェンジ周辺の情報に係る画面を作成する画面作成手段と、
前記画面作成手段において作成した駅周辺の情報に係る画面又はインターチェンジ周辺に係る画面を、前記ユーザ端末に提供する画面提供手段と、
を有することを特徴とする周辺情報提供システム。
【請求項７】
出版物に掲載された駅又はインターチェンジの周辺に係る情報を提供する周辺情報提供サーバであって、
駅に係る情報を格納する駅情報格納手段と、
インターチェンジに係る情報を格納するインターチェンジ情報格納手段と、
ネットワークを介して接続されたユーザ端末より、前記出版物に掲載された駅を特定する駅コード又はインターチェンジを特定するインターチェンジコードを含む、駅周辺の情報に係る画面又はインターチェンジ周辺の情報に係る画面の作成要求信号を受信する画面作成要求受信手段と、
前記作成要求信号に含まれる前記駅コード又は前記インターチェンジコードに基づいて、前記駅情報格納手段又は前記インターチェンジ情報格納手段より、前記駅コードに対応する駅に係る情報又は前記インターチェンジコードに対応するインターチェンジに係る情報を取得する情報取得手段と、
前記情報取得手段において取得した、駅に係る情報を含む、駅周辺の情報に係る画面又は、インターチェンジに係る情報を含む、インターチェンジ周辺の情報に係る画面を作成する画面作成手段と、
前記画面作成手段において作成した駅周辺の情報に係る画面又はインターチェンジ周辺に係る画面を、前記ユーザ端末に提供する画面提供手段と、
を有することを特徴とする周辺情報提供サーバ。
【請求項８】
ネットワークを介して接続されたユーザ端末より、前記出版物に掲載された駅を特定する駅コード又はインターチェンジを特定するインターチェンジコードを含む、駅周辺の情報に係る画面又はインターチェンジ周辺の情報に係る画面の作成要求信号を受信する画面作成要求受信手順と、
前記作成要求信号に含まれる前記駅コード又は前記インターチェンジコードに基づいて、駅に係る情報を格納する駅情報格納手段又はインターチェンジに係る情報を格納するインターチェンジ情報格納手段より、前記駅コードに対応する駅に係る情報又は前記インターチェンジコードに対応するインターチェンジに係る情報を取得する情報取得手順と、
前記情報取得手順において取得した、駅に係る情報を含む、駅周辺の情報に係る画面又は、インターチェンジに係る情報を含む、インターチェンジ周辺の情報に係る画面を作成する画面作成手順と、
前記画面作成手順において作成した駅周辺の情報に係る画面又はインターチェンジ周辺に係る画面を、前記ユーザ端末に提供する画面提供手順と、
をコンピュータに実行させることを特徴とする周辺情報提供プログラム。
【請求項９】
請求項８記載の周辺情報提供プログラムを記録したコンピュータ読み取り可能な記録媒体。
【請求項１０】
請求項１乃至９何れか一項記載の駅コード又はインターチェンジコードを表示することを特徴とする出版物。
【発明の詳細な説明】
【技術分野】
【０００１】
本発明は、周辺情報提供方法、周辺情報提供システム、周辺情報提供サーバ、周辺情報提供プログラム、記録媒体及び出版物に関する。
【背景技術】
【０００２】
近年、出版物に記載されている物件に併記されている７〜８桁の数字を、携帯電話や、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）等を使ったインタネット・サービスの画面上で入力すると、物件の詳細情報等を見ることが可能なサービスが実施されている（例えば、非特許文献１。）。
【非特許文献１】”マップルネット:ＭＧコードのご紹介”、[online]、[平成１６年６月４日検索]、<http://www.mapple.net/mgcode/gcode.html>
【発明の開示】
【発明が解決しようとする課題】
【０００３】
しかしながら、上述したような物件に割り振られたコードでは、出版物上のスペースの問題により、掲載できる数が限られてしまう問題があった。特に、駅前や、インターチェンジ前等で注記が集中しているエリアには、上述したような物件に割り振られたコードの掲載が困難な問題があった。
【０００４】
また、上述したような物件に割り振られたコードを画面上に入力し、物件の詳細情報を見る方法では、物件の詳細情報には直接アクセスできるが、該物件の周辺の情報を得難い問題があった。
【０００５】
本発明は、上記の点に鑑みなされたもので、駅又はインターチェンジの周辺情報を効率的に提供することを目的とする。
【課題を解決するための手段】
【０００６】
そこで、上記問題を解決するため、本発明は、出版物に掲載された駅又はインターチェンジの周辺に係る情報を提供する周辺情報提供サーバにおける周辺情報提供方法であって、ネットワークを介して接続されたユーザ端末より、前記出版物に掲載された駅を特定する駅コード又はインターチェンジを特定するインターチェンジコードを含む、駅周辺の情報に係る画面又はインターチェンジ周辺の情報に係る画面の作成要求信号を受信する画面作成要求受信段階と、前記作成要求信号に含まれる前記駅コード又は前記インターチェンジコードに基づいて、駅に係る情報を格納する駅情報格納手段又はインターチェンジに係る情報を格納するインターチェンジ情報格納手段より、前記駅コードに対応する駅に係る情報又は前記インターチェンジコードに対応するインターチェンジに係る情報を取得する情報取得段階と、前記情報取得段階において取得した、駅に係る情報を含む、駅周辺の情報に係る画面又は、インターチェンジに係る情報を含む、インターチェンジ周辺の情報に係る画面を作成する画面作成段階と、前記画面作成段階において作成した駅周辺の情報に係る画面又はインターチェンジ周辺に係る画面を、前記ユーザ端末に提供する画面提供段階と、を有することを特徴とする。
【０００７】
本発明によれば、出版物に掲載された駅又はインターチェンジの周辺に係る情報を提供する周辺情報提供サーバにおける周辺情報提供方法であって、ネットワークを介して接続されたユーザ端末より、前記出版物に掲載された駅を特定する駅コード又はインターチェンジを特定するインターチェンジコードを含む、駅周辺の情報に係る画面又はインターチェンジ周辺の情報に係る画面の作成要求信号を受信する画面作成要求受信段階と、前記作成要求信号に含まれる前記駅コード又は前記インターチェンジコードに基づいて、駅に係る情報を格納する駅情報格納手段又はインターチェンジに係る情報を格納するインターチェンジ情報格納手段より、前記駅コードに対応する駅に係る情報又は前記インターチェンジコードに対応するインターチェンジに係る情報を取得する情報取得段階と、前記情報取得段階において取得した、駅に係る情報を含む、駅周辺の情報に係る画面又は、インターチェンジに係る情報を含む、インターチェンジ周辺の情報に係る画面を作成する画面作成段階と、前記画面作成段階において作成した駅周辺の情報に係る画面又はインターチェンジ周辺に係る画面を、前記ユーザ端末に提供する画面提供段階と、を有することにより、駅又はインターチェンジの周辺情報を効率的に提供することができる。
【０００８】
また、上記課題を解決するための手段として、周辺情報提供システム、周辺情報提供サーバ、周辺情報提供プログラム及び記録媒体としてもよい。
【発明の効果】
【０００９】
本発明によれば、駅の周辺情報を効率的に提供することができる。
【発明を実施するための最良の形態】
【００１０】
以下、本発明の実施の形態について図面に基づいて説明する。図１は、周辺情報提供システムの一例のシステム構成図である。
【００１１】
図１に示されるように、周辺情報提供システムは、周辺情報提供サーバ１と、該周辺情報提供サーバ１とインターネット５を介して接続されたクライアント６と、後述する図７に示されるような駅コード３１及び／又は後述する図１３に示されるようなインターチェンジ（ＩＣ）コード３３が掲載されている出版物８と、を含む。なお、図１に示されるように、例えばクライアント６として、携帯電話や、ＰＣがある。但し、クライアント６は、携帯電話やＰＣに限らず、ＰＤＡやＬモードに対応した電話及びカーナビ等であってもよい。
【００１２】
ユーザは、例えば後述する図９に示されるような駅コード入力画面１００をクライアント６に表示させ、出版物８に掲載されている駅コード３１を入力ボックス１０１に入力し、ＯＫボタン１０２をクリックして、後述する図１０に示されるような駅サービス選択画面２００の提供を、インターネット５を介して、周辺情報提供サーバ１に要求する。なお、画面とは、例えばＷｅｂページのことである。以下においても同様である。
【００１３】
周辺情報提供サーバ１は、クライアント６からの要求に基づいて、該要求に含まれる駅コード３１を検索キーとして、例えば後述する図４に示されるような駅ＤＢ２５を検索し、対応する駅名等を取得し、後述する図１０に示されるような駅サービス選択画面２００を作成し、対応するクライアント６に提供する。
【００１４】
次に、ユーザは、例えば後述する図１０に示されるような駅サービス選択画面２００において、リンク「周辺物件を検索する」２０１をクリックして、後述する図１１に示されるような駅周辺の物件情報の一覧を表示内容とする周辺検索結果画面３００の提供を、インターネット５を介して、周辺情報提供サーバ１に要求する。
【００１５】
周辺情報提供サーバ１は、クライアント６からの要求に応じて、選択されている駅の駅コード３１を検索キーとして、例えば後述する図４に示されるような駅ＤＢ２５を検索し、対応する駅が存在する緯度と経度との情報を取得する。また、周辺情報提供サーバ１は、該緯度と経度との情報に基づいて、所定の半径（例えば半径１Ｋｍ）内の物件情報の一覧を、後述する図５に示されるような物件情報ＤＢ２６を検索し、取得して、後述する図１１に示されるような周辺検索結果画面３００を作成し、対応するクライアント６に提供する。なお、所定の半径は、周辺情報提供サーバ１内の定義ファイル等で予め定義しおいてもよいし、クライアント６に提供した画面においてユーザが選択し、該選択した情報を周辺情報提供サーバ１が受け取るようにしてもよい。
【００１６】
次に、ユーザは、例えば後述する図１１に示されるような周辺検索結果画面３００において、見たい物件情報のリンクの一つ（例えばリンク「ＭＹＳＴＥＲＩＯＵＳ」３０１）をクリックして、後述する図１２に示されるような物件の詳細を表示内容とする物件詳細画面４００の提供を、インターネット５を介して、周辺情報提供サーバ１に要求する。
【００１７】
周辺情報提供サーバ１は、クライアント６からの要求に応じて、該要求に含まれる物件を特定するコードを検索キーとして、例えば後述する図５に示されるような物件情報ＤＢ２６を検索し、対応する物件の詳細情報を取得し、後述する図１２に示されるような物件詳細画面４００を作成し、対応するクライアント６に提供する。
【００１８】
また、上述した例では、ユーザが、例えば後述する図９に示されるような駅コード入力画面１００をクライアント６に表示させ、出版物８に掲載されている駅コード３１を入力ボックス１０１に入力し、ＯＫボタン１０２をクリックして、後述する図１０に示されるような駅サービス選択画面２００の提供を、インターネット５を介して、周辺情報提供サーバ１に要求した場合を例にとって説明を行ったが、同様に、ユーザが、例えば後述する図１５に示されるようなインターチェンジコード入力画面５００をクライアント６に表示させ、出版物８に掲載されているインターチェンジコード３３を入力ボックス５０１に入力し、ＯＫボタン５０２をクリックして、後述する図１６に示されるようなインターチェンジサービス選択画面６００の提供を、インターネット５を介して、周辺情報提供サーバ１に要求してもよい。
【００１９】
このような場合、周辺情報提供サーバ１は、クライアント６からの要求に基づいて、該要求に含まれるインターチェンジコード３３を検索キーとして、例えば後述する図６に示されるようなインターチェンジＤＢ２８を検索し、対応するインターチェンジ名等を取得し、後述する図１６に示されるようなインターチェンジサービス選択画面６００を作成し、対応するクライアント６に提供する。
【００２０】
次に、ユーザは、例えば後述する図１６に示されるようなインターチェンジサービス選択画面６００において、リンク「周辺物件を検索する」６０１をクリックして、後述する図１７に示されるようなインターチェンジ周辺の物件情報の一覧を表示内容とする周辺検索結果画面７００の提供を、インターネット５を介して、周辺情報提供サーバ１に要求する。
【００２１】
周辺情報提供サーバ１は、クライアント６からの要求に応じて、選択されているインターチェンジのインターチェンジコード３３を検索キーとして、例えば後述する図６に示されるようなインターチェンジＤＢ２８を検索し、対応するインターチェンジが存在する緯度と経度との情報を取得する。また、周辺情報提供サーバ１は、該緯度と経度との情報に基づいて、所定の半径（例えば半径５Ｋｍ）内の物件情報の一覧を、後述する図５に示されるような物件情報ＤＢ２６を検索し、取得して、後述する図１７に示されるような周辺検索結果画面７００を作成し、対応するクライアント６に提供する。なお、所定の半径は、周辺情報提供サーバ１内の定義ファイル等で予め定義しおいてもよいし、クライアント６に提供した画面においてユーザが選択し、該選択した情報を周辺情報提供サーバ１が受け取るようにしてもよい。
【００２２】
次に、ユーザは、例えば後述する図１７に示されるような周辺検索結果画面７００において、見たい物件情報のリンクの一つ（例えばリンク「マンハッタンテーブル」７０１）をクリックして、後述する図１８に示されるような物件の詳細を表示内容とする物件詳細画面８００の提供を、インターネット５を介して、周辺情報提供サーバ１に要求する。
【００２３】
周辺情報提供サーバ１は、クライアント６からの要求に応じて、該要求に含まれる物件を特定するコードを検索キーとして、例えば後述する図５に示されるような物件情報ＤＢ２６を検索し、対応する物件の詳細情報を取得し、後述する図１８に示されるような物件詳細画面８００を作成し、対応するクライアント６に提供する。
【００２４】
なお、図１に示されるシステム構成は、後述する図３に示されるように駅ＤＢ２５や、物件情報ＤＢ２６、地図ＤＢ２７、インターチェンジＤＢ２８等が周辺情報提供サーバ１に格納されている構成を例に説明を行ったが、例えば、各ＤＢをそれぞれ別のサーバ（例えば駅コード受付サーバ、インターチェンジコード受付サーバ、物件情報提供サーバ、地図情報提供サーバ）等に格納し、各サーバ間で情報のやり取りを行って、クライアント６に画面等を提供するようにしてもよい。但し、以下では説明の簡略化のため、図１に示したようなシステム構成を用いて説明を行う。
【００２５】
図１に示したような処理を行うことによって、駅又はインターチェンジの周辺情報を効率的にユーザに提供することができる。
【００２６】
以下、周辺情報提供サーバ１の一例のハードウェア構成を、図２を用いて説明する。図２は、周辺情報提供サーバの一例のハードウェア構成図である。
【００２７】
図２に示されるように、周辺情報提供サーバ１のハードウェア構成は、それぞれバスで相互に接続されている入力装置１１と、表示装置１２と、ドライブ装置１３と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、ＣＰＵ（Ｃｅｎｔｒａｌ  Ｐｒｏｃｅｓｓｉｎｇ  Ｕｎｉｔ）１７と、インターフェース装置１８と、ＨＤＤ（Ｈａｒｄ  Ｄｉｓｋ  Ｄｒｉｖｅ）１９とから構成されている。
【００２８】
入力装置１１は、周辺情報提供サーバ１の利用者が操作するキーボード及びマウス等で構成され、周辺情報提供サーバ１に各種操作信号を入力するのに用いられる。
【００２９】
表示装置１２は、周辺情報提供サーバ１の利用者が利用するディスプレイ等で構成され、各種情報を表示する。
【００３０】
インターフェース装置１８は、周辺情報提供サーバ１をインターネット５等に接続するインターフェースである。
【００３１】
後述する処理を実行するプログラム等は、例えば、ＣＤ−ＲＯＭ等の記録媒体１４によって周辺情報提供サーバ１に提供されるか、インターネット５を通じてダウンロードされる。記録媒体１４は、ドライブ装置１３にセットされ、プログラム等が記録媒体１４からドライブ装置１３を介してＨＤＤ１９にインストールされる。
【００３２】
ＲＯＭ１５は、データ等を格納する。ＲＡＭ１６は、周辺情報提供サーバ１の起動時にＨＤＤ１９からプログラム等を読み出して格納する。ＣＰＵ１７は、ＲＡＭ１６に読み出され格納されたプログラム等に従って処理を実行する。
【００３３】
ＨＤＤ１９には、プログラム以外に、例えば、周辺情報提供サーバ１の定義ファイル、後述する駅ＤＢ２５や、物件情報ＤＢ２６、地図ＤＢ２７、インターチェンジＤＢ２８等に格納されているデータ等が格納される。
【００３４】
以下、周辺情報提供サーバ１の一例の機能構成を、図３を用いて説明する。図３は、周辺情報提供サーバの一例の機能構成図である。
【００３５】
図３に示されるように、周辺情報提供サーバ１は、ＷＷＷサーバ２０と、駅ＤＢ２５と、物件情報ＤＢ２６と、地図ＤＢ２７と、インターチェンジＤＢ２８と、を含む。また、ＷＷＷサーバ２０は、要求受信部２１と、情報取得部２２と、画面作成部２３と、画面提供部２４と、を含む。
【００３６】
ここで、要求受信部２１は、クライアント６等からの要求を受信する受信部である。また、情報取得部２２は、要求受信部２１が受信した要求等に応じて、駅ＤＢ２５や、物件情報ＤＢ２６、地図ＤＢ２７、インターチェンジＤＢ２８等から情報を取得する情報取得部である。また、画面作成部２３は、情報取得部２２が取得した情報等に基づいて、画面を作成する作成部である。また、画面提供部２４は、画面作成部２３が作成した画面等を、クライアント６に提供する提供部である。
【００３７】
また、駅ＤＢ２５は、駅情報を格納、管理するＤＢである。駅ＤＢ２５の一例は、後述する図４に示す。また、物件情報ＤＢ２６は、物件情報を格納、管理するＤＢである。物件情報ＤＢ２６の一例は、後述する図５に示す。地図ＤＢ２７は、地図情報を格納、管理するＤＢである。インターチェンジＤＢ２８は、インターチェンジ情報を格納、管理するＤＢである。インターチェンジＤＢ２８の一例は、後述する図６に示す。
【００３８】
以下、駅ＤＢ２５の一例を、図４に示す。図４は、駅ＤＢの一例を示す図である。図４に示されるように、駅ＤＢ２５は、駅を識別する駅コード３１と、駅に関する各種情報と、を含む。また、駅に関する各種情報としては、例えば、駅名や、駅の緯度、駅の経度、駅の乗り換え車両情報等が含まれる。
【００３９】
以下、物件情報ＤＢ２６の一例を、図５に示す。図５は、物件情報ＤＢの一例を示す図である。図５に示されるように、物件情報ＤＢ２６は、物件を特定するコードと、物件に関する各種情報と、を含む。また、物件に関する各種情報としては、例えば物件名称や、所在地情報、物件の緯度、物件の経度等が含まれる。
【００４０】
以下、インターチェンジＤＢ２８の一例を、図６に示す。図６は、インターチェンジＤＢの一例を示す図である。図６に示されるように、インターチェンジＤＢ２８は、インターチェンジを識別するインターチェンジコード３３と、インターチェンジに関する各種情報と、を含む。また、インターチェンジに関する各種情報としては、たとえば、インターチェンジ名や、インターチェンジの緯度、インターチェンジの経度等が含まれる。
【００４１】
以下、出版物に掲載されている駅コード３１の一例を、図７に示す。図７は、出版物に掲載されている駅コードの一例を示す図である。
【００４２】
図７に示されるように、例えばＪＲの新宿駅には駅コード「９９９９−９９９９」３１が併記されている。また、例えば大江戸線の都庁前駅には駅コード「９９９９−７７７７」３１が併記されている。また、例えば大江戸線の新宿西口駅には駅コード「９９９９−８８８８」３１が併記されている。
【００４３】
上述したように、ユーザは、クライアント６を用いて図７に示されるような駅コード３１を画面に入力することによって、対応する駅の周辺の情報を取得することができる。
【００４４】
なお、図７の右上に示されるように、該出版物の対応するページの代表する駅コード３１を含んだＵＲＬ（例えば、http://k.mapple.jp/9999-9999）を二次元コード化したもの（二次元コード３２）を出版物に掲載するようにしてもよい。
【００４５】
ユーザは、クライアント６の画面において直接駅コード３１を入力しなくても、例えば携帯電話の写真機能を用いて、二次元コード３２を写すことによって、駅コード３１を含んだＵＲＬを取得し、該駅コード３１を含んだＵＲＬを含んだ画面の取得要求を、周辺情報提供サーバ１に送信し、対応する画面（例えば、後述する図１０に示されるような駅サービス選択画面２００）を取得することができる。
【００４６】
但し、以下では説明の簡略化のため、ユーザは、後述する図９に示されるような駅コード入力画面１００を用いて、直接駅コード３１を入力するものとして説明を行う。
【００４７】
以下、駅周辺情報提供処理の一例を、図８を用いて説明する。図８は、駅周辺情報提供処理の一例のシーケンス図である。
【００４８】
ユーザは、例えば後述する図９に示されるような駅コード入力画面１００をクライアント６に表示させ、出版物８に掲載されている駅コード３１を入力ボックス１０１に入力し、ＯＫボタン１０２をクリックして、後述する図１０に示されるような駅サービス選択画面２００の提供を、インターネット５を介して、周辺情報提供サーバ１に要求する（シーケンスＳＱ１１）。
【００４９】
周辺情報提供サーバ１は、クライアント６からの要求に基づいて、該要求に含まれる駅コード３１を検索キーとして、図４に示されるような駅ＤＢ２５を検索し、対応する駅名等を取得する（シーケンスＳＱ１２）。
【００５０】
次に、周辺情報提供サーバ１は、取得した駅名や、駅周辺の情報を提供する画面へのリンクを含む後述する図１０に示されるような駅サービス選択画面２００を作成する（シーケンスＳＱ１３）。
【００５１】
周辺情報提供サーバ１は、作成した後述する図１０に示されるような駅サービス選択画面２００を要求元のクライアント６に提供する（シーケンスＳＱ１４）。
【００５２】
次に、ユーザは、例えば後述する図１０に示されるような駅サービス選択画面２００において、リンク「周辺物件を検索する」２０１をクリックして、後述する図１１に示されるような駅周辺の物件情報の一覧を表示内容とする周辺検索結果画面３００の提供を、インターネット５を介して、周辺情報提供サーバ１に要求する（シーケンスＳＱ１５）。
【００５３】
周辺情報提供サーバ１は、クライアント６からの要求に基づいて、選択されている駅の駅コード３１を検索キーとして、図４に示されるような駅ＤＢ２５を検索し、対応する駅が存在する緯度と経度との情報を取得する（シーケンスＳＱ１６）。
【００５４】
次に、周辺情報提供サーバ１は、取得した緯度と経度との情報に基づいて、所定の半径（例えば半径１Ｋｍ）内の物件情報の一覧を、図５に示されるような物件情報ＤＢ２６を検索し、取得する（シーケンスＳＱ１７）。
【００５５】
周辺情報提供サーバ１は、取得した物件情報の一覧を含む後述する図１１に示されるような周辺検索結果画面３００を作成する（シーケンスＳＱ１８）。
【００５６】
周辺情報提供サーバ１は、作成した後述する図１１に示されるような周辺検索結果画面３００を要求元のクライアント６に提供する（シーケンスＳＱ１９）。
【００５７】
ユーザは、例えば後述する図１１に示されるような周辺検索結果画面３００において、見たい物件情報のリンクの一つ（例えばリンク「ＭＹＳＴＥＲＩＯＵＳ」３０１）をクリックして、後述する図１２に示されるような物件の詳細を表示内容とする物件詳細画面４００の提供を、インターネット５を介して、周辺情報提供サーバ１に要求する（シーケンスＳＱ２０）。
【００５８】
周辺情報提供サーバ１は、クライアント６からの要求に基づいて、該要求に含まれる物件を特定するコードを検索キーとして、図５に示されるような物件情報ＤＢ２６を検索し、対応する物件の詳細情報を取得する（シーケンスＳＱ２１）。
【００５９】
次に、周辺情報提供サーバ１は、取得した物件の詳細情報を含む、後述する図１２に示されるような物件詳細画面４００を作成する（シーケンスＳＱ２２）。
【００６０】
周辺情報提供サーバ１は、作成した後述する図１２に示されるような物件詳細画面４００を要求元のクライアント６に提供する（シーケンスＳＱ２３）。
【００６１】
図８に示したような処理を行うことによって、駅の周辺情報を効率的にユーザに提供することができる。
【００６２】
以下、駅コード入力画面１００の一例を、図９に示す。図９は、駅コード入力画面の一例を示す図である。
【００６３】
図９に示されるように、駅コード入力画面１００は、入力ボックス１０１と、ＯＫボタン１０２と、を含み、ユーザは、出版物８に掲載されている駅コード３１を入力ボックス１０１に入力し、ＯＫボタン１０２をクリックして、後述する図１０に示されるような駅サービス選択画面２００の提供を、周辺情報提供サーバ１に要求する。
【００６４】
以下、駅サービス選択画面２００の一例を、図１０に示す。図１０は、駅サービス選択画面の一例を示す図である。
【００６５】
図１０に示されるように、駅サービス選択画面２００は、駅名と、駅周辺の情報を提供する画面へのリンク（例えばリンク「周辺物件を検索する」２０１や、リンク「周辺地図を見る」２０２等）と、を含み、ユーザは、例えばリンク「周辺物件を検索する」２０１をクリックして、後述する図１１に示されるような駅周辺の物件情報の一覧を表示内容とする周辺検索結果画面３００の提供を、周辺情報提供サーバ１に要求する。
【００６６】
以下、周辺検索結果画面３００の一例を、図１１に示す。図１１は、周辺検索結果画面の一例を示す図である。
【００６７】
図１１に示されるように、周辺検索結果画面３００は、駅周辺の物件情報の一覧を含み、ユーザは、物件情報のリンクの一つ（例えばリンク「ＭＹＳＴＥＲＩＯＵＳ」３０１）をクリックして、後述する図１２に示されるような物件の詳細を表示内容とする物件詳細画面４００の提供を、周辺情報提供サーバ１に要求する。
【００６８】
以下、物件詳細画面４００の一例を、図１２に示す。図１２は、物件詳細画面の一例を示す図である。
【００６９】
図１２に示されるように、物件詳細画面４００は、対応する物件の詳細情報が含まれている。
【００７０】
以下、出版物に掲載されているインターチェンジコード３３の一例を、図１３に示す。図１３は、出版物に掲載されているインターチェンジコードの一例を示す図である。
【００７１】
図１３に示されるように、例えば大泉のインターチェンジにはインターチェンジコード「６５００−０５０２」３３が併記されている。また、例えば練馬のインターチェンジにはインターチェンジコード「６５００−０５０１」３３が併記されている。なお、出版物中では、インターチェンジコードのことを略して「ＩＣコード」と記している。
【００７２】
上述したように、ユーザは、クライアント６を用いて図１３に示されるようなインターチェンジコード３３を画面に入力することによって、対応するインターチェンジの周辺の情報を取得することができる。
【００７３】
以下、インターチェンジ周辺情報提供処理の一例を、図１４を用いて説明する。図１４は、インターチェンジ周辺情報提供処理の一例のシーケンス図である。
【００７４】
ユーザは、例えば後述する図１５に示されるようなインターチェンジコード入力画面５００をクライアント６に表示させ、出版物８に掲載されているインターチェンジコード３３を入力ボックス５０１に入力し、ＯＫボタン５０２をクリックして、後述する図１６に示されるようなインターチェンジサービス選択画面６００の提供を、インターネット５を介して、周辺情報提供サーバ１に要求する（シーケンスＳＱ３１）。
【００７５】
周辺情報提供サーバ１は、クライアント６からの要求に基づいて、該要求に含まれるインターチェンジコード３３を検索キーとして、図６に示されるようなインターチェンジＤＢ２８を検索し、対応するインターチェンジ名等を取得する（シーケンスＳＱ３２）。
【００７６】
次に、周辺情報提供サーバ１は、取得したインターチェンジ名や、インターチェンジ周辺の情報を提供する画面へのリンクを含む後述する図１６に示されるようなインターチェンジサービス選択画面６００を作成する（シーケンスＳＱ３３）。
【００７７】
周辺情報提供サーバ１は、作成した後述する図１６に示されるようなインターチェンジサービス選択画面６００を要求元のクライアント６に提供する（シーケンスＳＱ３４）。
【００７８】
次に、ユーザは、例えば後述する図１６に示されるようなインターチェンジサービス選択画面６００において、リンク「周辺物件を検索する」６０１をクリックして、後述する図１７に示されるようなインターチェンジ周辺の物件情報の一覧を表示内容とする周辺検索結果画面７００の提供を、インターネット５を介して、周辺情報提供サーバ１に要求する（シーケンスＳＱ３５）。
【００７９】
周辺情報提供サーバ１は、クライアント６からの要求に基づいて、選択されているインターチェンジのインターチェンジコード３３を検索キーとして、図６に示されるようなインターチェンジＤＢ２８を検索し、対応するインターチェンジが存在する緯度と経度との情報を取得する（シーケンスＳＱ３６）。
【００８０】
次に、周辺情報提供サーバ１は、取得した緯度と経度との情報に基づいて、所定の半径（例えば半径５Ｋｍ）内の物件情報の一覧を、図５に示されるような物件情報ＤＢ２６を検索し、取得する（シーケンスＳＱ３７）。
【００８１】
周辺情報提供サーバ１は、取得した物件情報の一覧を含む後述する図１７に示されるような周辺検索結果画面７００を作成する（シーケンスＳＱ３８）。
【００８２】
周辺情報提供サーバ１は、作成した後述する図１７に示されるような周辺検索結果画面７００を要求元のクライアント６に提供する（シーケンスＳＱ３９）。
【００８３】
ユーザは、例えば後述する図１７に示されるような周辺検索結果画面７００において、見たい物件情報のリンクの一つ（例えばリンク「マンハッタンテーブル」７０１）をクリックして、後述する図１８に示されるような物件の詳細を表示内容とする物件詳細画面８００の提供を、インターネット５を介して、周辺情報提供サーバ１に要求する（シーケンスＳＱ４０）。
【００８４】
周辺情報提供サーバ１は、クライアント６からの要求に基づいて、該要求に含まれる物件を特定するコードを検索キーとして、図５に示されるような物件情報ＤＢ２６を検索し、対応する物件の詳細情報を取得する（シーケンスＳＱ４１）。
【００８５】
次に、周辺情報提供サーバ１は、取得した物件の詳細情報を含む、後述する図１８に示されるような物件詳細画面８００を作成する（シーケンスＳＱ４２）。
【００８６】
周辺情報提供サーバ１は、作成した後述する図１８に示されるような物件詳細画面８００を要求元のクライアント６に提供する（シーケンスＳＱ４３）。
【００８７】
図１４に示したような処理を行うことによって、インターチェンジの周辺情報を効率的にユーザに提供することができる。
【００８８】
以下、インターチェンジコード入力画面５００の一例を、図１５に示す。図１５は、インターチェンジコード入力画面の一例を示す図である。
【００８９】
図１５に示されるように、インターチェンジコード入力画面５００は、入力ボックス５０１と、ＯＫボタン５０２と、を含み、ユーザは、出版物８に掲載されているインターチェンジコード３３を入力ボックス５０１に入力し、ＯＫボタン５０２をクリックして、後述する図１６に示されるようなインターチェンジサービス選択画面６００の提供を、周辺情報提供サーバ１に要求する。
【００９０】
以下、インターチェンジサービス選択画面６００の一例を、図１６に示す。図１６は、インターチェンジサービス選択画面の一例を示す図である。
【００９１】
図１６に示されるように、インターチェンジサービス選択画面６００は、インターチェンジ名と、インターチェンジ周辺の情報を提供する画面へのリンク（例えばリンク「周辺物件を検索する」６０１や、リンク「周辺地図を見る」６０２等）と、を含み、ユーザは、例えばリンク「周辺物件を検索する」６０１をクリックして、後述する図１７に示されるようなインターチェンジ周辺の物件情報の一覧を表示内容とする周辺検索結果画面７００の提供を、周辺情報提供サーバ１に要求する。
【００９２】
以下、周辺検索結果画面７００の他の例を、図１７に示す。図１７は、周辺検索結果画面の他の例を示す図である。
【００９３】
図１７に示されるように、周辺検索結果画面７００は、インターチェンジ周辺の物件情報の一覧を含み、ユーザは、物件情報のリンクの一つ（例えばリンク「マンハッタンテーブル」７０１）をクリックして、後述する図１８に示されるような物件の詳細を表示内容とする物件詳細画面８００の提供を、周辺情報提供サーバ１に要求する。
【００９４】
以下、物件詳細画面８００の他の例を、図１８に示す。図１８は、物件詳細画面の他の例を示す図である。
【００９５】
図１８に示されるように、物件詳細画面８００は、対応する物件の詳細情報が含まれている。
【００９６】
以下、周辺情報提供処理の一例を、図１９を用いて説明する。図１９は、周辺情報提供処理の一例のフローチャートである。
【００９７】
ステップＳ１０において、周辺情報提供サーバ１は、クライアント６より画面の提供要求を受信したか否かを判定する。周辺情報提供サーバ１は、クライアント６より画面の提供要求を受信したと判定すると（ステップＳ１０においてＹＥＳ）、ステップＳ１１に進み、クライアント６より画面の提供要求を受信していないと判定すると（ステップＳ１０においてＮＯ）、ステップＳ１０の処理を繰り返す。
【００９８】
ステップＳ１１では、周辺情報提供サーバ１が、受信した画面の提供要求に応じて、ＤＢより情報を取得する。例えば、ステップＳ１０において、クライアント６より駅サービス選択画面提供要求を受信した場合、周辺情報提供サーバ１は、要求に含まれる駅コード３１を検索キーとして、駅ＤＢ２５を検索し、対応する駅名等を取得する。また、例えばステップＳ１０において、クライアント６よりインターチェンジサービス選択画面提供要求を受信した場合、周辺情報提供サーバ１は、要求に含まれるインターチェンジコード３３を検索キーとして、インターチェンジＤＢ２８を検索し、対応するインターチェンジ名等を取得する。
【００９９】
ステップＳ１１に続いてステップＳ１２に進み、周辺情報提供サーバ１は、ステップＳ１１において取得した情報を含む画面を作成する。
【０１００】
ステップＳ１２に続いてステップＳ１３に進み、周辺情報提供サーバ１は、ステップＳ１２において作成した画面を、要求元のクライアント６に提供する。
【０１０１】
上述したように、本発明によると、駅又はインターチェンジの周辺情報を効率的にユーザに提供することができる。
【０１０２】
以上、本発明の好ましい実施例について詳述したが、本発明は係る特定の実施形態に限定されるものではなく、特許請求の範囲に記載された本発明の要旨の範囲内において、種々の変形・変更が可能である。
【０１０３】
なお、上述した実施例においては、物件の一例として、飲食店を用いて説明を行ったが、物件とは、飲食店に限らず、例えば、ホテルや旅館等の宿泊施設、美術館や博物館等の文化施設、神社や寺院等の名所・旧跡、遊園地やテーマパーク等のレジャー施設、デパート、日帰り入浴施設等であってもよい。
【図面の簡単な説明】
【０１０４】
【図１】周辺情報提供システムの一例のシステム構成図である。
【図２】周辺情報提供サーバの一例のハードウェア構成図である。
【図３】周辺情報提供サーバの一例の機能構成図である。
【図４】駅ＤＢの一例を示す図である。
【図５】物件情報ＤＢの一例を示す図である。
【図６】インターチェンジＤＢの一例を示す図である。
【図７】出版物に掲載されている駅コードの一例を示す図である。
【図８】駅周辺情報提供処理の一例のシーケンス図である。
【図９】駅コード入力画面の一例を示す図である。
【図１０】駅サービス選択画面の一例を示す図である。
【図１１】周辺検索結果画面の一例を示す図である。
【図１２】物件詳細画面の一例を示す図である。
【図１３】出版物に掲載されているインターチェンジコードの一例を示す図である。
【図１４】インターチェンジ周辺情報提供処理の一例のシーケンス図である。
【図１５】インターチェンジコード入力画面の一例を示す図である。
【図１６】インターチェンジサービス選択画面の一例を示す図である。
【図１７】周辺検索結果画面の他の例を示す図である。
【図１８】物件詳細画面の他の例を示す図である。
【図１９】周辺情報提供処理の一例のフローチャートである。
【符号の説明】
【０１０５】
１    周辺情報提供サーバ
５    インターネット
６    クライアント
８    出版物
１１    入力装置
１２    表示装置
１３    ドライブ装置
１４    記録媒体
１５    ＲＯＭ
１６    ＲＡＭ
１７    ＣＰＵ
１８    インターフェース装置
１９    ＨＤＤ
２０    ＷＷＷサーバ
２１    要求受信部
２２    情報取得部
２３    画面作成部
２４    画面提供部
２５    駅ＤＢ
２６    物件情報ＤＢ
２７    地図ＤＢ
２８    インターチェンジＤＢ
３１    駅コード
３２    二次元コード
３３    インターチェンジコード（ＩＣコード）
１００    駅コード入力画面
２００    駅サービス選択画面
３００    周辺検索結果画面
４００    物件詳細画面
５００    インターチェンジコード入力画面
６００    インターチェンジサービス選択画面
７００    周辺検索結果画面
８００    物件詳細画面
【図１】
2006004316.tif 000003
【図２】
2006004316.tif 000004
【図３】
2006004316.tif 000005
【図４】
2006004316.tif 000006
【図５】
2006004316.tif 000007
【図６】
2006004316.tif 000008
【図７】
2006004316.tif 000009
【図８】
2006004316.tif 000010
【図９】
2006004316.tif 000011
【図１０】
2006004316.tif 000012
【図１１】
2006004316.tif 000013
【図１２】
2006004316.tif 000014
【図１３】
2006004316.tif 000015
【図１４】
2006004316.tif 000016
【図１５】
2006004316.tif 000017
【図１６】
2006004316.tif 000018
【図１７】
2006004316.tif 000019
【図１８】
2006004316.tif 000020
【図１９】
2006004316.tif 000021